【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
複数のシートを針を用いずに綴じる綴じ処理を行う綴じ手段を制御する印刷装置であって、
シートに画像を印刷する印刷手段と、
前記印刷手段により印刷されるシートの枚数が前記綴じ手段によって綴じることのできる枚数を超える場合に、前記印刷手段により印刷されるシートを複数に分けて綴じるか否かをユーザが指示するための画面を表示する表示手段と、
前記画面を介して、前記印刷手段により印刷されるシートを複数に分けて綴じることが指示された場合に、前記印刷手段により印刷されるシートを前記綴じ手段が綴じることのできる枚数ごとの複数のシート群に分けて、前記複数のシート群のそれぞれに対して綴じ処理を行うように前記綴じ手段を制御する制御手段と、
を備え、
前記表示手段によって表示される画面に、前記綴じ手段によって綴じることのできる枚数を示す情報が含まれることを特徴とする印刷装置。
【請求項２】
前記制御手段は、前記複数のシート群のそれぞれごとに異なる位置に綴じ処理を前記綴じ手段に行わせることを特徴とする請求項１に記載の印刷装置。
【請求項３】
前記綴じ手段が綴じることのできる枚数は、シートの坪量に応じてあらかじめ設定されることを特徴とする請求項１または２に記載の印刷装置。
【請求項４】
複数のシートを針を用いずに綴じる綴じ処理を行う綴じ手段と、
綴じ処理すべきシートの枚数が前記綴じ手段によって綴じることのできる枚数を超える場合に、前記綴じ処理すべきシートを複数に分けて綴じるか否かをユーザが指示するための画面を表示する表示手段と、
前記画面を介して、前記綴じ処理すべきシートを複数に分けて綴じることが指示された場合に、前記綴じ処理すべきシートを前記綴じ手段が綴じることのできる枚数ごとの複数のシート群に分けて、前記複数のシート群のそれぞれに対して綴じ処理を行うように前記綴じ手段を制御する制御手段と、
を備え、
前記表示手段によって表示される画面に、前記綴じ手段によって綴じることのできる枚数を示す情報が含まれることを特徴とする綴じ装置。
【請求項５】
複数のシートを針を用いずに綴じる綴じ処理を行う綴じ手段を制御する印刷装置の制御方法であって、
シートに画像を印刷する印刷工程と、
前記印刷工程で印刷されるシートの枚数が前記綴じ手段によって綴じることのできる枚数を超える場合に、前記印刷工程で印刷されるシートを複数に分けて綴じるか否かをユーザが指示するための画面を表示する表示工程と、
前記画面を介して、前記印刷工程で印刷されるシートを複数に分けて綴じることが指示された場合に、前記印刷工程で印刷されるシートを前記綴じ手段が綴じることのできる枚数ごとの複数のシート群に分けて、前記複数のシート群のそれぞれに対して綴じ処理を行うように前記綴じ手段を制御する制御工程と、
を備え、
前記表示工程で表示される画面に、前記綴じ手段によって綴じることのできる枚数を示す情報が含まれることを特徴とする印刷装置の制御方法。
【請求項６】
複数のシートを針を用いずに綴じる綴じ処理を行う綴じ手段を備える綴じ装置の制御方法であって、
綴じ処理すべきシートの枚数が前記綴じ手段によって綴じることのできる枚数を超える場合に、前記綴じ処理すべきシートを複数に分けて綴じるか否かをユーザが指示するための画面を表示する表示工程と、
前記画面を介して、前記綴じ処理すべきシートを複数に分けて綴じることが指示された場合に、前記綴じ処理すべきシートを前記綴じ手段が綴じることのできる枚数ごとの複数のシート群に分けて、前記複数のシート群のそれぞれに対して綴じ処理を行うように前記綴じ手段を制御する制御工程と、
を備え、
前記表示工程で表示される画面に、前記綴じ手段によって綴じることのできる枚数を示す情報が含まれることを特徴とする綴じ装置の制御方法。
【請求項７】
請求項５に記載の印刷装置の制御方法をコンピュータに実行させることを特徴とするプログラム。
【請求項８】
請求項６に記載の綴じ装置の制御方法をコンピュータに実行させることを特徴とするプログラム。
【手続補正２】
【補正対象書類名】明細書
【補正対象項目名】発明の名称
【補正方法】変更
【補正の内容】
【発明の名称】印刷装置、綴じ装置、これらの制御方法、及びプログラム
【手続補正３】
【補正対象書類名】明細書
【補正対象項目名】０００１
【補正方法】変更
【補正の内容】
【０００１】
本発明は、複数のシートを針を用いずに綴じる綴じ処理を行う印刷装置、綴じ装置、これらの制御方法、及びプログラムに関するものである。
【手続補正４】
【補正対象書類名】明細書
【補正対象項目名】０００４
【補正方法】変更
【補正の内容】
【０００４】
前述したように、金属の針を使用しないで綴じる方法は様々と実用化されているが、金属の針を使用したステイプル綴じ方式と比較して異なる特徴がある。その１つとして、針不使用の綴じでは、ステイプル綴じよりも綴じる力が弱いので、一度に綴じられる最大枚数が少ない。また、ステイプル綴じと針不使用の綴じの両方をもったシート処理部が接続される場合、２つの綴じ処理は綴じ位置がそれぞれ異なり、また、綴じられる枚数や表裏の概念が異なるため、画像を作成する時点でそれぞれに適した画像位置制御が必要となる。
このため、針無しの綴じ処理すべきシートの枚数が綴じ処理できるシートの枚数を超えてしまう場合、ユーザが針無しの綴じ処理を指定してしまうと、シート束に綴じ処理を行えない場合があった。
本発明は、上記の課題を解決するためになされたもので、本発明の目的は、シート枚数が多いシート束に対して針を用いない綴じ処理が指定された場合に、ユーザの意図に反することなく複数に分けて綴じることのできる仕組みを提供することである。
【手続補正５】
【補正対象書類名】明細書
【補正対象項目名】０００５
【補正方法】変更
【補正の内容】
【０００５】
上記目的を達成する本発明の印刷装置は、複数のシートを針を用いずに綴じる綴じ処理を行う綴じ手段を制御する印刷装置であって、シートに画像を印刷する印刷手段と、前記印刷手段により印刷されるシートの枚数が前記綴じ手段によって綴じることのできる枚数を超える場合に、前記印刷手段により印刷されるシートを複数に分けて綴じるか否かをユーザが指示するための画面を表示する表示手段と、前記画面を介して、前記印刷手段により印刷されるシートを複数に分けて綴じることが指示された場合に、前記印刷手段により印刷されるシートを前記綴じ手段が綴じることのできる枚数ごとの複数のシート群に分けて、前記複数のシート群のそれぞれに対して綴じ処理を行うように前記綴じ手段を制御する制御手段と、を備え、前記表示手段によって表示される画面に、前記綴じ手段によって綴じることのできる枚数を示す情報が含まれることを特徴とする。
また、本発明の綴じ装置は、複数のシートを針を用いずに綴じる綴じ処理を行う綴じ手段と、綴じ処理すべきシートの枚数が前記綴じ手段によって綴じることのできる枚数を超える場合に、前記綴じ処理すべきシートを複数に分けて綴じるか否かをユーザが指示するための画面を表示する表示手段と、前記画面を介して、前記綴じ処理すべきシートを複数に分けて綴じることが指示された場合に、前記綴じ処理すべきシートを前記綴じ手段が綴じることのできる枚数ごとの複数のシート群に分けて、前記複数のシート群のそれぞれに対して綴じ処理を行うように前記綴じ手段を制御する制御手段と、を備え、前記表示手段によって表示される画面に、前記綴じ手段によって綴じることのできる枚数を示す情報が含まれることを特徴とする。
【手続補正６】
【補正対象書類名】明細書
【補正対象項目名】０００６
【補正方法】変更
【補正の内容】
【０００６】
本発明によれば、シート枚数が多いシート束に対して針を用いない綴じ処理が指定された場合に、ユーザの意図に反することなく複数に分けて綴じることが可能となる。
【手続補正７】
【補正対象書類名】明細書
【補正対象項目名】００２６
【補正方法】変更
【補正の内容】
【００２６】
そして、ＣＰＵ１０１は、出力物でまだ出力されていないシートがあるかどうかを判断する（Ｓ７０５）。ここで、出力物でまだ出力されていないシートがあるとＣＰＵ１０１が判断した場合は、ＣＰＵ１０１は、再度許容枚数分のシート群を記録部１０７に出力させ（Ｓ７０３）、そのシート群に対して第２の綴じ処理をシート処理部１０９に行わせる（Ｓ７０４）。Ｓ７０３で、最後に許容枚数に満たないシートが残ったとＣＰＵ１０１が判断した場合は、その枚数で第２の綴じ処理を行い（Ｓ７０４）、本処理を終了する。Ｓ７０３では、ＣＰＵ１０１は、許容枚数以下の任意の枚数分のシート群を記録部１０７に出力させるようにしてもよい。
また、出力枚数が第２の綴じ部２０３に設定された許容枚数より少ないとＣＰＵ１０１がＳ７０２で判断した場合は、ＣＰＵ１０１は、出力物の全てのシートを記録部１０７に出力させる（Ｓ７０６）。さらに、ＣＰＵ１０１は、全てのシートに対して第２の綴じ部２０３を用いて針無しの綴じ処理を行うようシート処理部１０９を制御して、本処理を終了する。
図７の処理では、出力物を許容枚数単位で複数のシート群に分けて、複数のシート群のそれぞれに対して針無しの綴じ処理を行う。
これらの処理を行うことで、利便性を大きく損なうことなく、第２の綴じ部２０３を使用して許容枚数以上の出力物に対して綴じ処理することができる。